(57)【特許請求の範囲】
【請求項１】
所定の軸に対して回転可能な円筒形状の芯ロール体と、基材シートに粘着層が形成されてなり、前記粘着層を表側にして前記芯ロール体に巻かれた粘着シートとを有する粘着ロールであって、
前記芯ロール体は、
当該芯部材の表面に、軸方向に交互に連続的に並ぶとともに、それぞれが前記軸方向に直交する向きに形成された凸状環条部と凹状環条部とを有し、
前記粘着シートは、
前記芯ロール体の前記凸状環条部と前記凹状環条部とに対応するように、前記粘着シートの幅方向に交互に連続するとともにそれぞれが前記粘着シートの長手方向に延びる凸部分と凹部分とによる凸凹形状に形成され、
前記凸状環条部に前記凸部分が巻かれるとともに前記凹状環条部に前記凹部分が巻かれるように、前記粘着シートが前記芯ロール体に巻かれた、粘着ロール。
【請求項２】
前記粘着シートの前記基材シートは、当該基材シートの長手方向に所定の間隔にて配列されるとともに、それぞれが幅方向に延びるように形成された複数のミシン目を有する、請求項１または２記載の粘着ロール。
【発明の詳細な説明】
【技術分野】
【０００１】
本発明は、床面等の清掃に用いられる粘着ロールに関するものである。
【背景技術】
【０００２】
除塵を目的とした粘着ロールとして、粘着テープを略円筒形状の芯材に巻回したものが知られている。この粘着ロールを床面等の被清掃面に対して転がすことで、粘着テープにより被清掃面に存する塵埃等が粘着テープに保持される。これにより、被清掃面が清掃される。この粘着ロールは、上述した芯材及び粘着テープの他、芯材の中心軸を通る軸部と、この軸部から連続して延びていて利用者が把持する把持部とで形成されている。具体的には、軸部の一方の端部は芯材から突出し、折り返されて芯材の外側であって長手方向略中央部分まで延び、ここから直角に折り曲げられて把持部として延びている。軸部は芯材に対して自由に回転可能に保持されているため、利用者が把持部を介して軸部を被清掃面に沿って移動させることで、芯材及び粘着テープが被清掃面に押圧されながら回転する。ある程度粘着テープに塵埃が保持された際は、最も外側の粘着テープを剥がすことで未使用の粘着テープを露出させる。
【０００３】
このような従来の粘着ロールは、表面が平滑な芯材に対してシート状の粘着テープが巻回されているだけなので、大きな塵埃が粘着テープに保持された場合にこの大きな塵埃が突出してしまう。このまま粘着ロールを転がして清掃を続けると、被清掃面にこの大きな塵埃が必ず衝突するので、一度保持されたとしても再び粘着テープから離脱してしまうおそれがある。また、粘着テープから離脱しなかったとしても、大きな塵埃はある程度の大きさを有する塊であるため、粘着されている面積が狭く、またその自重により粘着テープを剥がす際に落下してしまうおそれがある。また、粘着テープの全面が被清掃面に粘着しながら転がるため、これが抵抗となって転がしにくいことがある。
【０００４】
したがって、粘着テープの表面に凹凸形状を設けることが考えられる（例えば特許文献１参照）。特許文献１では、粘着テープの表面に凹凸を具備させることで、粘着テープの剥がしやすさを実現しようとしている。しかしながら、特許文献１が示すエンボス形状に代表される部分的に盛り上がるような凸部を設けただけでは、上述したような大きな塵埃が粘着テープに対して粘着されている面積は狭いままであり、やはり外側の粘着テープを剥がしたときにこれが落下してしまうおそれがある。また、特許文献１に代表されるように粘着テープの表面に凹凸形状を設けるものは、巻回されて粘着テープが重なった際に、あえてこれら凹凸形状が重ならないようにしている。これは、粘着テープが巻回された際に径が大きくなってしまい、保管スペースの増大及び輸送コストの増加を招く。
【０００５】
一方で、芯材の表面に凹凸形状を設けたものも知られている（例えば特許文献２参照）。特許文献２では、粘着テープと芯材とを噛合させ、粘着テープの芯材からの脱落を防止するものである。しかしながら、粘着テープの表面は平坦であるため、上述した大きな塵埃を保持した際の問題点は残ったままである。
【０００６】
このように粘着テープ及び芯材単体で凹凸形状を設けるものは知られているが、上記課題を掲げてこの凹凸形状をこの課題に沿って解決しようとする技術はまだ知られていない。
【先行技術文献】
【特許文献】
【０００７】
【特許文献１】特開２０１９−１７１０５２号公報
【特許文献２】実開昭６４−１６６９号公報
【発明の概要】
【発明が解決しようとする課題】
【０００８】
本発明は、上記従来技術を考慮したものであり、比較的大きな固形状のゴミを保持した場合でもこれが離脱又は落下し難く、更に転がしや易い粘着ロールを提供するものである。
【課題を解決するための手段】
【０００９】
本発明に係る粘着ロールは、所定の軸に対して回転可能な円筒形状の芯ロール体と、基材シートに粘着層が形成されてなり、前記粘着層を表側にして前記芯ロール体に巻かれた粘着シートとを有する粘着ロールであって、前記芯ロール体は、当該芯ロール体の表面に、軸方向に交互に連続的に並ぶとともに、それぞれが前記軸方向に直交する向きに形成された凸状環条部と凹状環条部とを有し、前記粘着シートは、前記芯ロール体の前記凸状環条部と前記凹状環条部とに対応するように、前記粘着シートの幅方向に交互に連続するとともにそれぞれが前記粘着シートの長手方向に延びる凸部分と凹部分とによる凸凹形状に形成され、前記凸状環条部に前記凸部分が巻かれるとともに前記凹状環条部に前記凹部分が巻かれるように、前記粘着シートが前記芯ロール体に巻かれた、構成となる。
【００１０】
このような構成により、芯ロール体の凸状環条部に粘着シートのその長手方向に延びる凸部分が巻かれるとともに、芯ロール体の凹状環条部に粘着シートのその長手方向に延びる凹部分が巻かれるように、前記粘着シートが粘着層を表側にして前記芯ロール体に巻かれているので、粘着シートの凸部分がつぶれることなく、当該粘着シートの凸部分の先端が被清掃面に押さえつけられながら、粘着ロールは、芯ロール体の軸を中心にして転がり得る。この状態で転がる粘着ロールでは、その最外周の粘着シート（粘着層）に埃、ゴミ等が付着する。比較的大きい固形状のゴミは、粘着シートの凹部分内に嵌まり込んでその粘着層に付着し得る。
【００１１】
本発明に係る粘着ロールは、前記粘着シートの前記基材シートは、当該基材シートの長手方向に所定の間隔にて配列されるとともに、それぞれが幅方向に延びるように形成された複数のミシン目を有する、構成とすることができる。
【００１２】
このような構成により、最外周の粘着シート（粘着層）部分に埃、ゴミが付着した状態において、その最外周の粘着シート部分を、基材シートに形成されたミシン目に沿って容易に切り取ることができる。
【発明の効果】
【００１３】
本発明によれば、粘着シートの凸部分がつぶれることなく、当該粘着シートの凸部分の先端が被清掃面に押さえつけられながら、粘着ローラが芯ロール体の軸を中心にして転がり得るので、粘着シート（粘着層）の被清掃面への接触面積が少ない分、抵抗感が少なく転がしや易いものとなり得る。
【００１４】
また、本発明によれば、比較的大きい固形状のゴミは、粘着シートの凹部分内に嵌まり込んでその粘着層に付着し得るので、そのような固形状のゴミを保持した場合でもこれが離脱又は落下し難いものとなり得る。
【図面の簡単な説明】
【００１５】
【図１】図１は、本発明の実施の形態に係る粘着ローラを示す斜視図である。
【図２】図２は、図１に示す粘着ロールに用いられる芯ロール体を示す斜視図である。
【図３】図３は、図２に示す芯ロール体の軸（中心軸）を含む面Ａでの断面を示す断面図である。
【図４】図４は、芯ロール体表面に交互に連続して並ぶ凸状環条部と凹状環条部とを形成する機構の一例を示す斜視図である。
【図５】図５は、粘着シートを図１のＢ方向から見た断面形状を示す断面図である。
【図６】図６は、芯ロール体に粘着シートが巻かれた粘着ロールの部分的な構造を拡大して示す断面図である。
【図７】図７は、粘着ロールの使用状態の一例を示す図である。
【図８】図８は、使用された粘着ロールを拡大して部分的に示す断面図である。
【図９】図９は、本発明の実施の形態に係る粘着ロールを製造する製造装置を概略的に示す図である。
【図１０】図１０は、図９に示す製造装置に設けられる、粘着シートを交互に連続的に並ぶ凸部分と凹部分とによって凸凹形状に形成する機構の一例を拡大して示す斜視図である。
【図１１】図１１は、図９に示す製造装置における粘着ロールの製造手順を示すフローチャートである。
【図１２】図１２は、粘着ロールに形成される切取り線の一例を示す斜視図である。
【図１３】図１３は、図１２に示す切取り線が形成された粘着ロールを示す断面図である。
【発明を実施するための形態】
【００１６】
本発明の実施の形態について図面を用いて説明する。
【００１７】
本発明の実施の一形態に係る粘着ロールは、図１に示すように構成される。
【００１８】
図１において、粘着ロール１０は、所定の軸に対して回転可能な円筒形状の芯ロール体１１に粘着シート１２が巻かれた構造となっている。芯ロール体１１は、例えば紙製であって、中心部分が中空（中空部１１ａ）の円筒形状に形成されている。芯ロール体１１の表面には、図２とともに図３に拡大して示すように、その軸方向に交互に連続的に並ぶとともにそれぞれが軸方向に直交する向きに凸状環条部１１１と凹状環条部１１２とが形成されている。軸方向に交互に並ぶ凸状環条部１１１と凹状環条部１１２とによって芯ロール体１１の表面はその軸方向に凸凹形状ＣＣ（例えば、波形形状）になっている。
【００１９】
芯ロール体１１の凸凹形状ＣＣの表面は、例えば、図４に示す機構によって形成することができる。
【００２０】
図４において、この機構は、金属製の型ローラ２０と、天然ゴムや合成ゴム等の適度な弾性を有する弾性部材で形成された軸ロール２１とを備えている。型ローラ２０と軸ロール２１とはそれぞれの回転軸が平行となるように配置されている。型ローラ２０には、その軸方向に交互に連続的に並ぶとともにそれぞれが軸方向に直交する向きに凹状環条部と凸状環条部とが形成されており、型ローラ２０の表面がその軸方向に凹凸形状ＣＣ（例えば、波形形状）になっている。紙製の円筒ロール体１の中空部１ａに軸ロール２１を通すようにして当該円筒ロール体１が軸ロール２１にセットされる。型ローラ２０（金属製）が円筒ロール体１を軸ロール２１（弾性部材）に押し付けるように型ローラ２０と軸ロール２１とが円筒ロール体１を挟み込み、この状態で、型ローラ２０と軸ロール２１とが逆方向に回転する。
【００２１】
このように円筒ロール体１を挟み込んだ状態での型ローラ２０と軸ロール２１との逆方向の回転により、型ローラ２０（金属製）の表面の凹凸形状（例えば、波形形状）が弾性部材（軸ロール２１）で支持される円筒ロール体１の表面に転写されるように当該円筒ロール体１の表面が成形される。これにより、円筒ロール体１の表面には、型ローラ２０の表面の前記凹凸形状ＣＣに対応して軸方向に交互に連続的に並ぶとともにそれぞれが軸方向に直交する向きに凸状環条部１１１と凹状環条部とが形成され、その円筒ロール体１が上述した構造の芯ロール体１１（図２及び図３参照）となる。
【００２２】
図１を参照するとともに図５において、粘着シート１２は、基材シートとしての剥離シート１２ａと、その表面に形成された粘着層１２ｂ（例えば、合成ゴム系粘着剤）とを有している（図５参照）。粘着シート１２は、前述した芯ロール体１１の凸状環条部１１１と凹状環条部１１２とに対応するように、その幅方向に交互に連続するとともにそれぞれがその長手方向に延びる凸部分１２１と凹部分１２２とによる凸凹形状ＣＣ（例えば、波形形状：図１参照）に形成されている。なお、粘着シート１２の剥離シート１２ａには、図１に示すようにその幅方向に延びるミシン目１３が、その長手方向に所定の間隔をもって連続的に形成されている。
【００２３】
粘着ロール１０は、上述したように凸凹形状ＣＣの粘着シート１２が凸凹形状ＣＣの表面を有する芯ロール体１１に巻かれた構造となる。具体的には、図１とともに、図６に示すように、芯ロール体１１の凸状環条部１１１に粘着シート１２の凸部分１２１が巻かれるとともに、芯ロール体１１の凹状環条部１１２に粘着シート１２の凹部分１２２が巻かれるように、粘着層１２ｂを表側にして、粘着シート１２が芯ロール体１１に巻かれる。このような巻き方により、表面が凸凹形状となる芯ロール体１１に凸凹形状となる粘着シート１２を、その凸凹形状を崩すことなく、かつ隙間なく巻くことができる。
【００２４】
なお、芯ロール体１１の凸状環条部１１１の頂点と凹状環条部１１２の底点との距離Ｈ（深さ：図３参照）及び粘着シート１２の凸部分１２１の頂点と凹状部１２２の底点との距離ｈ（深さ：図５参照）それぞれは、特に限定されないが、例えば、２ｍｍ程度に設定することができる。
【００２５】
上述したような構造の粘着ロール１０は、次のようにして使用される。
【００２６】
図７に示すように、握りを有するハンドル部１５に前述した構造の粘着ロール１０が装着される。ハンドル部１５を握る利用者は、被清掃面５０に粘着ロール１０を押し付けるようにしてそのハンドル部１５を前後方向（点線矢印参照）に移動させて粘着ロール１０を被清掃面５０上で転がす。粘着ロール１０が被清掃面５０を転がる際に、その被清掃面５０に存在するゴミＤ、埃Ｄが粘着ロール１０における最外周の粘着シート１２（粘着層１２ｂ）に付着し、被清掃面５０から除去される。
【００２７】
更に詳細にみると、図８に示すように、粘着ロール１０では、芯ロール体１１の凸状線条部１１１に粘着シート１２の凸部分１２１が巻かれるとともに、芯ロール体１１の凹状線条部１１２に粘着シート１２の凹部分１２２が巻かれるように、粘着シート１２が芯ロール１１に隙間なく巻かれている。このため、芯ロール体１１の凸状線条部１１１が支えとなって、粘着シート１２の凸部分１２１がつぶれることなく、その粘着シート１２の凸部分１２１の先端が被洗浄面５０に押さえつけられながら、粘着ロール１０は芯ロール体１１とともに転がり得る。このように転がる粘着ロールでは、その最外周の粘着シート１２（粘着層１２ｂ）にゴミ等が付着する。比較的小さいゴミや埃は、粘着シート１２の凸部分１２１及びその近傍部分に多く付着し得る一方、比較的大きい固形状のゴミ（図８におけるＤ１、Ｄ２、Ｄ３参照）は、粘着シート１２の凹部分１２２嵌まり込んでその部分に付着し得る。
【００２８】
上述したような粘着ロールによれば、粘着シート１２の凸部分１２１がつぶれることなく、当該粘着シート１２の凸部分１２１の先端が被清掃面５０に押え付けられながら、粘着ローラ１０が芯ロール体１１の軸を中心にして転がり得るので、粘着シート１２（粘着層１２ｂ）の被清掃面５０への接触面積が比較的少なく、その分抵抗感が少なく転がしや易いものとなり得る。
【００２９】
また、比較的大きい固形状のゴミＤ１、Ｄ２、Ｄ３（図８参照）は、粘着シート１２の凹部分１１２内に嵌まり込んでその粘着層１２ｂに付着し得るので、粘着ローラ１０を転がしている際に、粘着シート１２面（粘着層１２ｂ）から離脱し難い。更に、粘着ローラ１０を被清掃面５０から持ち上げて、粘着シート１２の最外周部分をミシン目１３に沿って切り剥がす際にも、その比較的大きい固形状のゴミがその切り剥がす際の振動によって落下してしまうことも防止することができる。
【００３０】
更に、粘着シート１２が凸凹形状ＣＣ（例えば、波形形状）となって、粘着シート１２の表面積が平坦な粘着シートの表面積に比べて大きくなるので、全体としてより多くの比較的大きい固形状のゴミや細かいゴミや埃を付着させることができるようになる。
【００３１】
次に、前述した粘着ロール１０の製造方法の一例について説明する。
【００３２】
前述した粘着ロール１０は、例えば、図９に示す製造装置を用いて製造することができる。この製造装置は、駆動ローラ３１と従動ローラ３２とに巻きかけられるとともに、これら駆動ローラ３１と従動ローラ３２との間に配置される複数のローラによって支えられる環状ベルト３３を備えている。環状ベルト３３は、駆動ローラ３１の回転によりその上側面が所定の方向Ｄ（図９において左から右に向う方向）に移動するように回動する。繰出しローラ３０から繰り出される剥離シート１２ａは、移動する環状ベルト３１の上側面に押えローラ３７、３８等によって押さえつけられながら前述した環状ベルト３１の移動とともに移動して、後述するように粘着層１２ｂが形成された粘着シート１２として芯ロール体１１に巻き取られるようになっている。なお、剥離シート１２ａには、その長手方向に所定の間隔に配列されるとともに、それぞれが幅方向に延びる複数のミシン目１３が形成されている。
【００３３】
押えローラ３７の近傍下流側には剥離シート１２ａを凸凹形状（例えば、波形形状）に成形するための、上下に配置される型ローラ３３と受けローラ３４とが設けられている。これら型ローラ３３及び受けローラ３４は、前述した芯ロール体１１を形成するために使用する型ローラ２０及び軸ロール２１（図４参照）と同様に、型ローラ３３が金属製であって、受けローラ３４が天然ゴムや合成ゴム等の適度な弾性を有する弾性部材にて形成されている。図９とともに更に図１０に拡大して示すように、型ローラ３３及び受けローラ３４のそれぞれは剥離シート１２ａの幅方向（長手方向に直交する方向）に延びるように配置されている。型ローラ３３には、前述した型ローラ２０と同様に（図４参照）、その軸方向に交互に連続的に並ぶとともにそれぞれが軸方向に直交する向きに凹状環条部と凸状環条部とが形成されており、型ローラ３４の表面がその軸方向に凹凸形状ＣＣ（例えば、波形形状）になっている。上側の型ローラ３３が剥離シート１２ａを下側の受けローラ３４に押し付けるようにして、型ローラ３３と受けローラ３４とが剥離シート１２ａを挟みこんでいる。そして、この状態で、型ローラ３３と受けローラ３４とが剥離シート１２ａを引き込むように逆方向に回転する。
【００３４】
上述したように繰出しローラ３０から繰り出される剥離シート１２ａがそれぞれ回転する型ローラ３３と受けローラ３４との間を通過することにより、型ローラ３３（金属製）の表面の凹凸形状（例えば、波形形状）が剥離シート１２ａを連続的に受けローラ３４（弾性部材）に対して押し付けるようになる。その結果、剥離シート１２ａは、型ローラ３３の表面の前記凹凸形状ＣＣに対応して、図５に示すように、幅方向に交互に連続するとともにそれぞれが長手方向に延びる凸部分１２１と凹部分１２２とによる凸凹形状ＣＣに成形される（図１０参照）。
【００３５】
図９に戻って、上下に配置される型ローラ３３と受けローラ３４との下流側に配置される押えローラ３８の更に近傍下流側には塗布器３５が設けられている。塗布器３５は、上述したように凸凹形状ＣＣに成形された剥離シート１２ａ（図１０参照）が当該塗布器３５の直下を通過する際に、その剥離シート１２ａの表面に粘着剤を一様の厚さに塗布する。
【００３６】
塗布器３５の更に下流側には、乾燥機３６が配置されている。塗布器３５によって表面に一様の厚さの粘着剤が塗布された剥離シート１２ａが乾燥機３６内を通過する際に、表面の粘着剤が乾燥する。これにより、剥離シート１２ａの表面に粘着層１２ｂ（粘着剤）が形成された粘着シート１２が形成される。
【００３７】
乾燥機３６を通過して剥離シート１２ａの表面に粘着層１２ｂが形成された構造となる粘着シート１２は、環状ベルト３３とともに移動して、順次芯ロール体１１に巻き取られる。芯ロール体１１の凸状環条部１１１に粘着シート１２の凸部分１２１が巻かれるとともに、芯ロール体１１の凹状環条部１１２に粘着シート１２の凹部分１２２が巻かれるように、芯ロール体１１と粘着シート１２との位置調整がなされている。これにより、粘着シート１２は、表面が凸凹形状となる芯ロール体１１にその凸凹形状を崩すことなく、かつ隙間なく芯ロール体１１に巻かれていく。
【００３８】
上述したような製造装置では、結局、図１１に示すような手順に従って粘着ロール１０が製造される。
【００３９】
繰出しローラ３０にセットされてその繰出しローラ３０から繰り出される剥離シート１２ａが、上下に配置される型ローラ３３と受けローラ３４とによって凸凹形状ＣＣに成形される（Ｓ１）。凸凹形状ＣＣに成形された剥離シート１２の表面に塗布器３５によって粘着剤が塗布され（Ｓ２）、その剥離シート１２ａの表面の粘着剤が乾燥機３６によって乾燥される（Ｓ３）。これにより、剥離シート１２ａの表面に粘着層１２ｂが形成される。剥離シート１２ａの表面に粘着層１２ｂが形成された構造の粘着シート１２が芯ロール体１１に巻き取られ（Ｓ４）、粘着ロール１０が完成する。
【００４０】
上述したような製造装置によれば、剥離シート１２ａを繰出しローラ３０にセットするとともに表面が凸凹形状となる芯ロール体１１をセットした状態での一連の工程（図１１参照）により、凸凹形状ＣＣの粘着シート１２が、その凸凹形状が崩されることなく、かつ隙間なく、凸凹形状ＣＣの表面を有する芯ロール体１１に巻かれた構造の粘着ロール１０を製造することができる。
【００４１】
上述したような粘着ロール１０において、粘着シート１２の形状及び芯ロール体１１の表面の形状のそれぞれは、図６等に示すような波形形状のような凸凹形状に限られず、半円形によって凸凹形状とするものであっても、半楕円形によって凸凹形状とするものであっても、概ね三角形によって凸凹形状とするものであっても、更に他の形による凹凸形状であっても特に限定されない。
【００４２】
芯ロール体１１の表面を凸凹形状に成形する方法は、図４に示す方法に限定されず、他の方法、例えば、表面が凸凹形状となる芯ロール体１１を成型機（例えば、プレス成型機）によって成形するようにしてもよい。また、芯ロール体１１の材質は、紙に限定されることなく、他の材質、例えば、樹脂であってもよい。更に粘着シート１２を凸凹形状に成形する方法についても前述した方法（図９参照）に限定されない。
【００４３】
前述した実施の形態では、剥離シート１２ａにミシン目１３が形成されるものであったがこれに限定されない。例えば、図１２及び図１３に示すように、芯ロール体１１に粘着シート１２が巻かれた構造の粘着ロール１０に対して、その表面（最外周の粘着シート１２ａ）から芯ロール体１１至る切れ込みをレーザカッタ等によって順次軸方向に延びるように形成することにより、粘着シート１２の幅方向に延びる切取り線１４を、粘着シート１２の長手方向にある間隔をもって連続的に形成することもできる。
【００４４】
また、粘着ロールの製造方法も、図９に示す製造装置を用いる方法に限定されず、他の構造の装置を用いる方法であってもよい。
【００４５】
以上、本発明の実施の形態を説明したが、この実施の形態は、一例として提示したものであり、発明の範囲を限定することは意図していない。上述したこれら新規な実施の形態は、その他の様々な形態で実施されることが可能であり、発明の要旨を逸脱しない範囲で、種々の省略、置き換え、変更を行うことができる。
【産業上の利用可能性】
【００４６】
本発明に係る粘着ロールは、比較的大きな固形状のゴミを保持した場合でもこれが離脱又は落下し難く、更に転がしや易いという効果を有し、床面等の清掃に用いられる粘着ロールとして有用である。
【符号の説明】
【００４７】
１０：粘着ロール、１１：芯ロール体、１１ａ：中空部、１２：粘着シート、１２ａ：剥離シート（基材シート）、１２b：粘着層、１３：ミシン目、１４：切取り線、１５：ハンドル部、２０：型ローラ、２１：軸ロール、３０：繰出しローラ、３１：駆動ローラ、３２：従動ローラ、３３：型ローラ、３４：受けローラ、３５：塗布器、３６：乾燥機、３７、３８：押えローラ、１１１：凸部分、１１２：凹部分、１２１：凸状環条部、１２２：凹状環条部
【要約】
【課題】比較的大きな固形状のゴミを保持した場合でもこれが離脱又は落下し難く、更に転がしや易い粘着ロールを提供するものである。
【解決手段】芯ロール体１１と、芯ロール体１１に巻かれた粘着シート１２とを有する粘着ロールであって、芯ロール体１１は、芯ロール体１１の表面に、軸方向に交互に連続的に並ぶとともに、それぞれが前記軸方向に直交する向きに形成された凸状環条部１１１と凹状環条部１１２とを有し、粘着シート１２は、芯ロール体１１の凸状環条部１１１と凹状環条部１１２とに対応するように、粘着シート１２の幅方向に交互に連続するとともにそれぞれが粘着シート１２の長手方向に延びる凸部分１２１と凹部分１２２とによる凸凹形状ＣＣに形成され、凸状環条部１１１に凸部分１２１が巻かれるとともに凹状環条部１１２に前記凹部分１２２が巻かれるように、粘着シート１２が芯ロール体１１に巻かれた構成となる。
【選択図】      図６【図１】
0006968491.tif 000002
【図２】
0006968491.tif 000003
【図３】
0006968491.tif 000004
【図４】
0006968491.tif 000005
【図５】
0006968491.tif 000006
【図６】
0006968491.tif 000007
【図７】
0006968491.tif 000008
【図８】
0006968491.tif 000009
【図９】
0006968491.tif 000010
【図１０】
0006968491.tif 000011
【図１１】
0006968491.tif 000012
【図１２】
0006968491.tif 000013
【図１３】
0006968491.tif 000014